(57)【要約】【課題】天井スラブから天井上面に滴下する漏水を効果的に排水処理することができるようにした天井構造を提供することである。【解決手段】スラブ１に上部に固定された吊りボルト２で天井下地１０を支持し、その天井下地１０に並列に配置された複数の天井パネル２１から成る天井２０を支持する。天井２０の壁面Ｗと接する部分に見切り縁３０を設け、その見切り縁３０を上部見切り縁３１と下部見切り縁３２とに分割する。下部見切り縁３１に天井２０の周縁部を受ける庇部３７と、その庇部３７の外側に樋部３８とを設け、天井２０の上面に滴下する漏水を樋部３８に集水し、その樋部３８に形成された排水孔４１から排水処理して、天井２０の下面側に漏水が漏れるのを防止する。【選択図】図３
2005336727.tif 000002
【特許請求の範囲】
【請求項１】
スラブに吊り下げ支持された天井下地で天井を支持し、その天井の壁面と接する部分に見切り縁を設け、前記天井が並列に配置された細長い複数の天井パネルから成り、各天井パネルが一対のフランジを両側に有し、一方のフランジにその両端方向に長く延びる接続溝が形成され、他方のフランジにその接続溝に嵌合される挿入片が設けられた金属薄板の曲げ成形品とされた天井構造において、前記見切り縁に天井の外周部を支持する支持片を有する庇部と、その庇部の外側に底面が前記天井パネルの上面と同一高さ又は少し下位とされる樋部とを設け、上記樋部の底面一部に排水孔を形成し、その排水孔に向けて樋部の底面を下り勾配をもって傾斜させたことを特徴とする天井構造。
【請求項２】
前記見切り縁が、上部見切り縁とその上部見切り縁にクリップを介して連結される下部見切り縁とに分割し、上部見切り縁の内周部に天井の外周縁部を押える複数の押え片を長さ方向に間隔をおいて設け、下部見切り縁には前記庇部と樋部とを設けた請求項１に記載の天井構造。
【請求項３】
前記天井パネルを長さ方向の一端から他端に向けて下り勾配をもって傾斜させた請求項１又は２に記載の天井構造。
【請求項４】
前記天井に器具取付け用の矩形の開口を形成し、その開口の器具の外周に接する内周に器具用見切り縁を設け、その器具用見切り縁が、クリップによって結合される上部見切り縁と下部見切り縁とに分割され、上部見切り縁には天井パネルの開口に対する周縁部を押える複数の押え片を長さ方向に間隔をおいて設け、下部見切り縁には天井パネルの開口に対向する周縁部を支持する庇部と、その庇部より開口側に底面が天井の上面と同一高さ又は少し下位とされる樋部とを設け、前記天井パネルに対して直交する方向に延びる下部見切り縁の樋部と、天井パネルに平行する下部見切り縁の樋部の一方を両端において開口し、他方の樋部の両端を一方の樋部に連通させた請求項１乃至３のいずれかに記載の天井構造。
【発明の詳細な説明】
【技術分野】
【０００１】
この発明は、地下室や地下街、地下鉄等の地下空間への採用に好適な天井構造に関するものである。
【従来の技術】
【０００２】
地下空間を形成する天井スラブに多数の吊りボルトの上部を固定し、その吊りボルトにより吊り下げ支持された天井下地に天井パネルを取付けて天井を形成することは従来から普通に行なわれている。
【０００３】
一般に、地下空間においては漏水について充分な対策がなされているが完全ではない。このため、天井スラブから漏水すると、その漏水は天井の上面に滴下することになる。
【発明の開示】
【発明が解決しようとする課題】
【０００４】
ところで、地下空間における従来の天井構造においては、天井スラブからの漏水の対策が不充分であり、上記漏水の滴下によって天井上面に溜り、天井パネルが透水性を有するパネルの場合に、そのパネルを浸透して天井下面を汚すことになる。
【０００５】
また、天井パネルが金属製の非透水性のパネルの場合は、天井パネルの接続部より漏水するおそれが生じる。
【０００６】
この発明の課題は、天井スラブから天井上面に滴下する漏水を効果的に排水処理することができるようにして、天井が汚損されずに漏水の滴下を防止することができるようにした天井構造を提供することである。
【課題を解決するための手段】
【０００７】
上記の課題を解決するために、この発明においては、スラブに吊り下げ支持された天井下地で天井を支持し、その天井の壁面と接する部分に見切り縁を設け、前記天井が並列に配置された細長い複数の天井パネルから成り、各天井パネルが一対のフランジを両側に有し、一方のフランジにその両端方向に長く延びる接続溝が形成され、他方のフランジにその接続溝に嵌合される挿入片が設けられた金属薄板の曲げ成形品とされた天井構造において、前記見切り縁に天井の外周部を支持する支持片を有する庇部と、その庇部の外側に底面が前記天井パネルの上面と同一高さ又は少し下位とされる樋部とを設け、上記樋部の底面一部に排水孔を形成し、その排水孔に向けて樋部の底面を下り勾配をもって傾斜させた構成を採用したのである。
【０００８】
ここで、前記見切り縁を上部見切り縁とその上部見切り縁にクリップを介して連結される下部見切り縁とに分割し、上部見切り縁の内周部に天井の外周縁部を押える複数の押え片を長さ方向に間隔をおいて設け、下部見切り縁には前記庇部と樋部とを設けておくと、前記押え片によって天井の外周縁部の浮き上がりを防止することができるため、天井を安定よく支持することができる。また、上部見切り縁の取付け後に、その上部見切り縁にクリップを介して下部見切り縁を取付けることができるため、見切り縁の取付けの容易化を図ることができる。
【０００９】
この発明に係る天井構造において、前記天井パネルを長さ方向の一端から他端に向けて下り勾配をもって傾斜させておくと、天井の上面に滴下した漏水は天井パネルの傾斜に沿って流れて見切り縁の樋部に流入するため、漏水を効果的に集水して処理することができる。
【００１０】
この発明に係る天井構造において、前記天井に器具取付け用の矩形の開口を形成し、その開口の器具の外周に接する内周に器具用見切り縁を設け、その器具用見切り縁が、クリップによって結合される上部見切り縁と下部見切り縁とに分割され、上部見切り縁には天井パネルの開口に対する周縁部を押える複数の押え片を長さ方向に間隔をおいて設け、下部見切り縁には天井パネルの開口に対向する周縁部を支持する庇部と、その庇部より開口側に底面が天井の上面と同一高さ又は少し下位とされた樋部とを設け、前記天井パネルに対して直交する方向に延びる下部見切り縁の樋部と、天井パネルに平行する下部見切り縁の樋部の一方を両端において開口し、他方の樋部の両端を一方の樋部に連通させるようにして、天井の上面に滴下した漏水が開口とその開口に取付けられる器具の接触部から漏水するのを防止するのが好ましい。
【発明の効果】
【００１１】
上記のように、見切り縁に樋部を設け、その樋部の底面一部に排水孔を形成し、その排水孔に向けて樋部の底面を傾斜させたことによって、スラブから天井の上面に滴下する漏水を見切り縁の樋部に集水し、その集水された漏水を排水孔から排水処理することができ、天井が漏水によって汚損されたり、天井パネルの接続部から漏水が漏れるのを防止することができる。
【発明を実施するための最良の形態】
【００１２】
以下、この発明の実施の形態を図面に基づいて説明する。図１乃至図４に示すように、地下空間における天井のスラブ１には複数の吊りボルト２の上部が固定され、各吊りボルト２の下端部に取付けられたハンガー３によって天井下地１０が支持されている。
【００１３】
天井下地１０は、上記ハンガー３によって支持された複数の平行に配置された野縁受１１と、その野縁受１１に対して直交する方向に延びる野縁１２と、その野縁１２と野縁受１１の交差部を連結するクリップ１３とから成っている。
【００１４】
ここで、野縁受１１は、図４に示すように、ウエブ１１ａの両側にフランジ１１ｂを設けた軽量型鋼材から成り、一方、野縁１２は、図３に示すように、ウエブ１２ａの両側に一対のフランジ１２ｂを設け、各フランジ１２ｂの側縁に設けた内向き折曲げ片１２ｃの側縁に下向き折曲片１２ｄを設けた軽量型鋼材から成っている。
【００１５】
天井下地１０の下面には天井２０が取付けられている。天井２０は複数の天井パネル２１から成る。
【００１６】
図４に示すように、天井パネル２１は金属薄板の折曲げ成形品から成る。この天井パネル２１は細長い帯板状のパネル本体２１ａの両側に一対のフランジ２１ｂを上向きに設け、一方のフランジ２１ｂの上縁部に内向きの折曲片２１ｃを設けると共に、その折曲片２１ｃの側縁に外向きの取付片２１ｄを形成して、内向き折曲片２１ｃとの間に接続溝２１ｅを設け、他方のフランジ２１ｂの上縁に上記接続溝２１ｅに挿入可能な挿入片２１ｆを設けた樋状の構成とされている。
【００１７】
上記複数の天井パネル２１は前記野縁１２と直交する配置とされて、挿入片２１ｆが隣接する接続溝２１ｅに挿入され、外向き取付片２１ｄの下面から野縁１２にねじ込まれる図３に示すタッピングねじ２２の締付けによって上記外向き取付片２１ｄが野縁１２に固定されている。
【００１８】
また、複数の天井パネル２１は、長さ方向の一端から他端に向けて緩やかな下り勾配をもつ傾斜状の取付けとされている。
【００１９】
なお、天井２０を形成する複数の天井パネル２１のうち、両側の天井パネル２１には、フランジ２１ｂの一方が除去された天井パネル２１が採用されている。
【００２０】
天井２０の壁面Ｗと接する部分には角枠状の見切り縁３０が設けられている。図３および図５に示すように、見切り縁３０は上部見切り縁３１と下部見切り縁３２とに分割され、上記上部見切り縁３１はその下方から野縁１２にねじ込まれるタッピングねじ３３によって上記野縁１２に固定されている。一方、下部見切り縁３２はクリップ３４を介して上部見切り縁３１に連結されている。
【００２１】
ここで、図７に示すように、上部見切り縁３１および下部見切り縁３２が複数の上部見切り縁３１および下部見切り縁３２から成る場合、上部見切り縁３１の端面同士および下部見切り縁３２の端面同士を互に突き合わせ、その突き合わせ端部をジョイント具３５を介して互に連結する。
【００２２】
図５および図６に示すように、上部見切り縁３１の下面内側部には天井２０の外周縁部を押える複数の押え片３６が上部見切り縁３１の長さ方向に間隔をおいて形成されている。
【００２３】
一方、下部見切り縁３２には、天井２０の外周縁部の下面と対向する庇部３７と、その庇部３７の外側に樋部３８とが設けられ、上記庇部３７の上面内周部には天井２０の下面外周部を支持する支持片３９が設けられている。また、庇部３７の上面と天井２０の下面外周部間にはシール部材４０が設けられている。
【００２４】
樋部３８は庇部３７より上位に位置し、その底面は天井パネル２１におけるパネル本体２１ａの上面と同一又は少し下位とされている。
【００２５】
図３に示すように、角枠状の下部見切り縁３２における樋部３８の底面一部には排水孔４１が設けられ、上記樋部３８の底面は上記排水孔４１に向けて下り勾配をもって傾斜している。４２は排水孔３９に接続されたドレンパイプを示す。
【００２６】
実施の形態で示す天井構造から成り、スラブ１に漏水が発生して滴下すると、この漏水は天井２０の上面で受けられる。
【００２７】
このとき、天井２０を形成する複数の並列に配置された天井パネル２１は長さ方向の一端から他端に向けて下り勾配をもって傾斜しているため、滴下する漏水の量が多くなると、その漏水は天井パネル２１の傾斜に沿って流れて下部見切り縁３２の樋部３８内に流れ込んで樋部３８に集水される。また、樋部３８の底面は排水孔４１に向けて傾斜しているため、上記樋部３８に流れ込んだ漏水は樋部３８の底面の傾斜に沿って流れて排水孔４１に至り、その排水孔４１からドレンパイプ４２内に流れ落ちて適宜に排水される。
【００２８】
このように、スラブ１から天井２０の上面に滴下する漏水は下部見切り縁３２の樋部３８に集水され、その樋部３８から排水孔４１に流れ落ちてドレンパイプ４２から排水されるため、漏水の量が多い場合でもその漏水をスムーズに排水処理することができ、天井２０を形成する天井パネル２１の接続部から天井２０の下面側に漏洩して地下空間内に滴下するという不都合の発生を完全に防止することができる。
【００２９】
また、天井パネル２１は金属薄板の折曲げ成形品から成るため、天井２０の上面に滴下した漏水が天井パネル２１内に浸透して下面が汚損されるという不都合の発生も完全に防止することができる。
【００３０】
実施の形態で示すように、見切り縁３０を上部見切り縁３１と下部見切り縁３２とに分割し、上部見切り縁３１に天井２０の上面外周部を押える押え片３６を設けることによって、天井２０の外周部の浮き上がりを防止し、天井２０に安定した取付け状態を得ることができる。
【００３１】
また、上部見切り縁３１の取付け後に、クリップ３４を介して下部見切り縁３２を取付けることができるため、見切り縁３０の取付けの容易化を図ることができる。
【００３２】
図８は、この発明に係る天井構造の他の実施の形態を示す。この実施形態では、複数の天井パネル２１で形成される天井２０に照明器具等の器具取付け用の矩形の開口５０を形成し、その開口５０の器具５１の外周に接する内周に角枠状の器具用見切り縁６０を設けている。
【００３３】
器具用見切り縁６０は上部見切り縁６１と下部見切り縁６２とに分割され、上部見切り縁６１は野縁１２にねじ止めされている。この上部見切り縁６１の下面外周部には天井パネル２１の前記開口５０と対向する端部を押える複数の押え片６３が間隔をおいて形成されている。
【００３４】
下部見切り縁６２はクリップ６４により上部見切り縁６１に連結されている。この下部見切り縁６２には天井パネル２１の前記開口５０と対向する端部を支持する支持片６５を有する庇部６６と、その庇部６６より開口５０側に樋部６７とが形成され、上記庇部６６と天井パネル２１の対向面間にシール部材６８が設けられている。
【００３５】
樋部６７は庇部６６より上位に位置し、その樋部６６の底面は天井パネル２１におけるパネル本体２１ａの上面と同一高さ又は少し下方の位置とされている。
【００３６】
角枠状の下部見切り縁６２において、天井パネル２１に対して直交する方向に延びる下部見切り縁６２の樋部６７と、天井パネル２１に平行する下部見切り縁６２の樋部６７の一方は両端で開口し、他方の樋部６７の両端は一方の下部見切り縁６２の樋部６７に連通している。
【００３７】
上記のように、器具取付け用の開口５０の器具５１と接する内周に器具用見切り縁６０を設けることによって、天井パネル２１の上面に沿って器具５１側に流れる漏水を器具用見切り縁６０における下部見切り縁６２の樋部６７に集水して、その樋部６７の開口から天井パネル２１の上面に排水させることができる。
【００３８】
このため、器具用見切り縁６０と器具５１の接続面から天井２０の下面側に漏水が漏れるのを防止することができる。
【図面の簡単な説明】
【００３９】
【図１】この発明に係る天井構造の実施の形態を示す斜視図
【図２】図１の平面図
【図３】図２のIII−III線に沿った断面図
【図４】図２のIV−IV線に沿った断面図
【図５】図３の一部を拡大して示す断面図
【図６】見切り縁の接続部を示す断面図
【図７】見切り縁の接続部を示す分解斜視図
【図８】この発明に係る天井構造の他の実施の形態を示す縦断正面図
【符号の説明】
【００４０】
１      スラブ
１０    天井下地
２０    天井
２１    天井パネル
２１ｂ  フランジ
２１ｅ  接続溝
２１ｆ  挿入片
３０    見切り縁
３１    上部見切り縁
３２    下部見切り縁
３４    クリップ
３６    押え片
３７    庇部
３８    樋部
３９    支持片
４１    排水孔
【図１】
2005336727.tif 000003
【図２】
2005336727.tif 000004
【図３】
2005336727.tif 000005
【図４】
2005336727.tif 000006
【図５】
2005336727.tif 000007
【図６】
2005336727.tif 000008
【図７】
2005336727.tif 000009
【図８】
2005336727.tif 000010